(57)【要約】【課題】開示の技術は、設置環境が確定した後にアンテナ装置のアンテナ特性を最適化することを目的とする。【解決手段】アンテナ装置は、接地導体と、接地導体に平行な空中線と、空中線の第１端部に接続されて接地導体から空中線に給電を行う給電線と、空中線の第１端部に接続されて空中線と接地導体を電気的に短絡する短絡線とを有するアンテナ素子と、空中線の第１端部または第２端部と接地導体との間に設置されるダミー導体とを有する。【選択図】図７
2019110496.tif 000002
【特許請求の範囲】
【請求項１】
接地導体と、
前記接地導体に平行な空中線と、前記空中線の第１端部に接続されて前記接地導体から前記空中線に給電を行う給電線と、前記空中線の前記第１端部に接続されて前記空中線と前記接地導体を電気的に短絡する短絡線とを有するアンテナ素子と、
前記空中線の前記第１端部または第２端部と前記接地導体との間に設置されるダミー導体と
を有するアンテナ装置。
【請求項２】
前記空中線の前記第１端部において、前記短絡線は前記給電線よりも前記第２端部寄りに接続される、請求項１に記載のアンテナ装置。
【請求項３】
前記空中線の前記第１端部と前記接地導体との間に前記ダミー導体が設置される場合、前記ダミー導体は前記短絡線よりも前記第２端部寄りに設置される、請求項２に記載のアンテナ装置。
【請求項４】
前記接地導体と前記ダミー導体とは略同一平面を形成する、請求項１に記載のアンテナ装置。
【請求項５】
前記空中線と平行な直線が略垂直線となる面を有する外部導体が、前記空中線の前記第１端部の側において前記接地導体と第１距離離れた位置に設置される場合に、前記ダミー導体は前記空中線の前記第２端部と前記接地導体との間に前記接地導体から第２距離離れた位置に設置される、請求項１に記載のアンテナ装置。
【請求項６】
前記空中線と平行な直線が略垂直線となる面を有する外部導体が、前記空中線の前記第２端部の側において前記接地導体と第１距離離れた位置に設置される場合に、前記ダミー導体は前記空中線の前記第１端部と前記接地導体との間に前記接地導体から第２距離離れた位置に設置される、請求項１に記載のアンテナ装置。
【請求項７】
前記第２距離は、前記外部導体の設置による前記アンテナ素子の共振周波数のずれ量と、前記ダミー導体の設置による前記アンテナ素子の共振周波数のずれ量に基づき算出する、請求項５または６のいずれかに記載のアンテナ装置。
【請求項８】
前記ダミー導体は、正方形の形状を有し、前記ダミー導体の重心が前記空中線と前記接地導体との中線上に位置する、請求項７に記載のアンテナ装置。
【請求項９】
接地導体と、前記接地導体に平行な空中線と、前記空中線の第１端部に接続されて前記接地導体から前記空中線に給電を行う給電線と、前記空中線の前記第１端部に接続されて前記空中線と前記接地導体を電気的に短絡する短絡線とを有するアンテナ素子とを有するアンテナ装置の設計プログラムであって、コンピューターに
前記アンテナ素子の前記第１端部または第２端部の方向に設置された外部導体と前記アンテナ素子との第１距離を読み取り、
前記外部導体を設置した前記第１端部または前記第２端部と異なる方向にダミー導体を設定し、
前記外部導体の設置による前記アンテナ素子の共振周波数のずれを打ち消す、前記ダミー導体と前記空中線との第２距離を算出するための補正テーブルを参照し、
前記補正テーブルの参照結果に基づき前記ダミー導体の設置位置を確定する
処理を実行させる、設計プログラム。
【発明の詳細な説明】
【技術分野】
【０００１】
本発明は、アンテナ装置および設計プログラムに関する。
【背景技術】
【０００２】
ＩｏＴ（Ｉｎｔｅｒｎｅｔ  ｏｆ  Ｔｈｉｎｇｓ）ビジネスに活用されるＩｏＴセンサ等の無線通信装置の普及が進んでいる。無線通信装置は無線信号を送受信するためのアンテナ装置を有する。無線通信装置の小型化や低コスト化に伴い、アンテナ装置として例えば逆Ｌアンテナや逆Ｆアンテナなどが用いられる。逆Ｌアンテナは、１本の動線からなる直線状で、長さの合計が垂直方向と水平方向の波長の１／４とするアンテナである。逆Ｆアンテナは、逆Ｌアンテナに対し、短絡線を追加したものである。
【０００３】
特許文献１には、アンテナの近傍に浮遊導体パタンを形成することにより、逆Ｆアンテナを広帯域かつ多周波に対応させるアンテナ装置に関する技術が開示されている。
【先行技術文献】
【特許文献】
【０００４】
【特許文献１】特開２００５−０２０２６６号公報
【特許文献２】特開２００７−１４３１３２号公報
【特許文献３】特開２０１３−２４７５２６号公報
【発明の概要】
【発明が解決しようとする課題】
【０００５】
特許文献１のように、アンテナの形状が複雑化し、アンテナ近傍の導体パタンの影響を考慮して正確なアンテナ特性を求める場合、アンテナ装置の電磁界解析を行うためのシミュレータが必要となる。アンテナ装置のベンダは、アンテナ近傍に障害物が存在しない理想的な状態でアンテナ特性を評価し、市場に提供する。
【０００６】
しかしながら、無線通信装置メーカーが、ベンダから購入したアンテナ装置を無線通信装置に実装し、ユーザーに提供する場合、ベンダが提示したアンテナ特性の通りに無線通信装置でアンテナ装置が機能しない場合がある。無線通信装置が設置される周辺の環境によりアンテナ特性が変化するためである。
【０００７】
開示の技術は、設置環境が確定した後にアンテナ装置のアンテナ特性を最適化することを目的とする。
【課題を解決するための手段】
【０００８】
上述した課題を解決し、目的を達成するため、アンテナ装置は、接地導体と、接地導体に平行な空中線と、空中線の第１端部に接続されて接地導体から空中線に給電を行う給電線と、空中線の第１端部に接続されて空中線と接地導体を電気的に短絡する短絡線とを有するアンテナ素子と、空中線の第１端部または第２端部と接地導体との間に設置されるダミー導体とを有する。
【０００９】
なお、本発明の目的及び利点は、例えば、請求項におけるエレメント及び組み合わせにより実現され、かつ達成されるものである。また、上記の一般的な記述及び下記の詳細な記述の何れも、例示的かつ説明的なものであり、請求項のように、本発明を制限するものではない。
【発明の効果】
【００１０】
本件の開示するアンテナ装置および設計プログラムの一つの態様によれば、設置環境が確定した後にアンテナ装置のアンテナ特性を最適化するという効果を奏する。
【図面の簡単な説明】
【００１１】
【図１】図１は、アンテナ装置と外部導体との配置図である。
【図２】図２は、アンテナ特性への外部導体の影響を示す図である。
【図３】図３は、アンテナ装置と外部導体との距離に対するアンテナ特性の変化を示す図である。
【図４】図４は、アンテナ素子にダミー金属を追加した場合の配置図である。
【図５】図５は、アンテナ特性へのダミー導体の影響を示す図である。
【図６】図６は、アンテナ素子と外部導体との距離に対するアンテナ特性の変化を示す図である。
【図７】図７は、アンテナ素子、外部導体、およびダミー導体の配置図である。
【図８】図８は、外部導体とダミー導体の設置条件の関係を示す図である。
【図９】図９は、外部導体およびダミー導体を設置した場合のアンテナ装置の反射特性を示す図である。
【図１０】図１０は、アンテナ素子、外部導体、およびダミー導体の他の配置図である。
【図１１】図１１は、外部導体とダミー導体の他の設置条件の関係を示す図である。
【図１２】図１２は、外部導体およびダミー導体を設置した場合のアンテナ装置の他の反射特性を示す図である。
【図１３】図１３は、アンテナ素子に対しダミー導体を設置する方法を示す図である。
【図１４】図１４は、アンテナ設計装置のハードウェア構成図である。
【図１５】図１５は、アンテナ装置の設計プログラムの処理フローである。
【発明を実施するための形態】
【００１２】
図１は、アンテナ装置と外部導体との配置図である。図１（ａ）は、アンテナ素子２の給電側近傍に、外部導体３が配置されている様子を示す図である。図１（ｂ）は、図１（ａ）の配置図をＸＹ平面に投影した図である。図１（ｃ）は、アンテナ素子２の解放端側に、外部導体３が配置されている様子を示す図である。図１（ｄ）は、図１（ｃ）の配置図をＸＹ平面に投影した図である。図１に示す配置図は例えば、アンテナ装置のアンテナ特性を計算するためのアンテナ設計装置において、解析対象モデルを作成するための三次元ＣＡＤの操作画面である。
【００１３】
図１（ａ）および（ｂ）の配置図は、ＧＮＤ導体１、アンテナ素子２、外部導体３を有する。ＧＮＤ導体１は、アンテナ素子２に給電される電圧の基準面となる接地導体である。アンテナ素子２は、空中線、給電線、および短絡線を有する。空中線は、ＧＮＤ導体１に水平な長手方向を有する。空中線の両端のうち一方を第１端部、他方を第２端部とする。ＧＮＤ導体１と空中線は、給電点を有するＹ軸上の給電線に垂直に接続されている。さらにＧＮＤ導体１と空中線は、Ｙ軸上の配線に近接する短絡線に垂直に接続されている。本実施例においてアンテナ素子２は、逆Ｆアンテナを形成している。
【００１４】
図１（ａ）および（ｂ）において、ＧＮＤ導体１はＸＹ平面上に配置されている。ＧＮＤ導体１は、Ｘ軸方向の辺の長さが７０ｍｍ、Ｙ軸方向の辺の長さが７０ｍｍの正方形である。ここで、図中に記載されているλは、アンテナ素子の共振時における波長である。アンテナ素子２は、アンテナ部分がＸ軸に平行に、Ｙ軸方向に１０ｍｍ離れた位置に配置されている。アンテナ部分の長さについて、給電点から他方の終端までの長さは６５．５ｍｍであり、短絡線との接続部分から給電点と反対側の終端までの長さは６２ｍｍである。外部導体３は、ＹＺ平面に平行に配置されている。外部導体３は、Ｙ軸方向の辺の長さが６０ｍｍ、Ｚ軸方向の辺の長さが６０ｍｍの正方形である。外部導体４は、アンテナ素子２の空中線に直交する方向に配置されている。外部導体３の重心は、Ｘ軸上に配置されている。外部導体３はアンテナ素子２の給電点側に配置されている。外部導体３とＹＺ平面との距離はｄｓである。
【００１５】
図１（ｃ）および（ｄ）の配置図は、ＧＮＤ導体１、アンテナ素子２、外部導体４を有する。ＧＮＤ導体１は、アンテナ素子２に給電される電圧の基準面となる。ＧＮＤ導体１とアンテナ素子２は、給電点を有するＹ軸上の配線により接続されている。さらにＧＮＤ導体１とアンテナ素子２は、Ｙ軸上の配線に近接する配線により短絡されている。本実施例においてアンテナ素子２は、逆Ｆアンテナを形成している。
【００１６】
図１（ｃ）および（ｄ）において、ＧＮＤ導体１はＸＹ平面上に配置されている。ＧＮＤ導体１は、Ｘ軸方向の辺の長さが７０ｍｍ、Ｙ軸方向の辺の長さが７０ｍｍの正方形である。ここで、図中に記載されているλは、アンテナ素子の共振時における波長である。アンテナ素子２は、アンテナ部分がＸ軸に平行に、Ｙ軸方向に１０ｍｍ離れた位置に配置されている。アンテナ部分の長さについて、給電点から他方の終端までの長さは６５．５ｍｍであり、短絡線との接続部分から給電点と反対側の終端までの長さは６２ｍｍである。外部導体４は、ＹＺ平面に平行に配置されている。外部導体４は、Ｙ軸方向の辺の長さが６０ｍｍ、Ｚ軸方向の辺の長さが６０ｍｍの正方形である。外部導体４は、アンテナ素子２の空中線に直交する方向に配置されている。外部導体４の重心は、Ｘ軸上に配置されている。外部導体４は、アンテナ素子２の開放端側に配置されている。外部導体４とＹＺ平面との距離はｄｏである。
【００１７】
図２は、アンテナ特性への外部導体の影響を示す図である。図２のグラフは、アンテナ素子２のＳパラメータを給電点側から計算した場合の、パラメータＳ１１の特性を示す。
【００１８】
図２のグラフにおいて、横軸は給電点からアンテナ素子２へ入力する信号の周波数を示し、縦軸はアンテナ素子２のＳパラメータのうち、反射損失を示すパラメータＳ１１の大きさを示す。Ｓ１１が小さいほど、アンテナ素子２の反射損失は小さくなる。
【００１９】
本実施例において、アンテナ素子２は、アンテナ特性に影響を与える外部導体が周辺に存在しない場合、１ＧＨｚでＳ１１が最小になるように設計されている。図２のグラフは、図１（ｂ）において、ｄｓ＝１ｍｍ（ｄｓ／λ＝０．００３）とした場合のアンテナ素子２のＳ１１特性である。図２において、Ｓ１１の最小値を示すマーカーｍ１の位置は、設計時の最小値である１ＧＨｚよりも高い周波数に位置している。つまり図２は、アンテナ素子２のアンテナ特性が、周辺の導体の影響を受けて変化することを示している。アンテナ設計時において周波数１ＧＨｚでのＳ１１が−１５ｄＢであったものが、導体の影響を受けて図２の通り−８ｄＢとなり反射損失が大きくなれば、実際に無線通信装置を動作させた場合の無線信号の品質低下や消費電力増大の原因となる。
【００２０】
図３は、アンテナ素子と外部導体との距離に対するアンテナ特性の変化を示す図である。図３のグラフにおいて横軸は、図１（ｂ）および（ｄ）におけるアンテナと外部導体との距離ｄｓ、ｄｏと、アンテナの共振周波数ｆ０における波長λとの比率を示す。縦軸は、外部導体の存在により変化したアンテナの共振周波数ｆ０’と、外部導体が存在しない場合のアンテナの共振周波数ｆ０との比率を示す。
【００２１】
図３において、グラフ５は図１（ｂ）においてｄｓを変化させたときのアンテナの共振周波数ｆ０’の変化を示す。グラフ５からわかる通り、外部導体３がアンテナ素子２の給電点側に存在する場合、アンテナ素子２と外部導体３との距離が近いほど、アンテナの共振周波数ｆ０’は高くなる。
【００２２】
図３において、グラフ６は図１（ｄ）においてｄｏを変化させたときのアンテナの共振周波数ｆ０’の変化を示す。グラフ６からわかる通り、外部導体４がアンテナ素子２の解放端側に存在する場合、アンテナ素子２と外部導体４との距離が近いほど、アンテナの共振周波数ｆ０’は低くなる。
【００２３】
図４は、アンテナ素子にダミー導体を追加した場合の配置図である。図４（ａ）は、アンテナ素子２の解放端付近に、ダミー導体７が配置されている様子を示す図である。図４（ｂ）は、図４（ａ）の配置図をＸＹ平面に投影した図である。図４（ｃ）は、アンテナ素子２の給電点側に、ダミー導体８が配置されている様子を示す図である。図４（ｄ）は、図４（ｃ）の配置図をＸＹ平面に投影した図である。図４に示す配置図は例えば、アンテナ素子のアンテナ特性を計算するためのシミュレータにおいて、解析対象モデルを作成するための三次元ＣＡＤの操作画面である。
【００２４】
図４（ａ）および（ｂ）の配置図は、ＧＮＤ導体１、アンテナ素子２、ダミー導体７を有する。ＧＮＤ導体１は、アンテナ素子２に給電される電圧の基準面となる。ＧＮＤ導体１とアンテナ素子２は、給電点を有するＹ軸上の配線により接続されている。さらにＧＮＤ導体１とアンテナ素子２は、Ｙ軸上の配線に近接する配線により短絡されている。本実施例においてアンテナ素子２は、逆Ｆアンテナを形成している。
【００２５】
図４（ａ）および（ｂ）において、ＧＮＤ導体１はＸＹ平面上に配置されている。ＧＮＤ導体１は、Ｘ軸方向の辺の長さが７０ｍｍ、Ｙ軸方向の辺の長さが７０ｍｍの正方形である。ここで、図中に記載されているλは、アンテナ素子２の共振時における波長である。アンテナ素子２は、アンテナ部分がＸ軸に平行に、Ｙ軸方向に１０ｍｍ離れた位置に配置されている。アンテナ部分の長さについて、給電点から他方の終端までの長さは６５．５ｍｍであり、短絡線との接続部分から給電点と反対側の終端までの長さは６２ｍｍである。ダミー導体７は、ＸＹ平面に平行に配置されている。ダミー導体７は、Ｘ軸方向の辺の長さ、Ｙ軸方向の辺の長さがそれぞれｌｏの正方形である。ダミー導体７の重心は、Ｘ軸とアンテナ素子２との中間に配置されている。ダミー導体７は、アンテナ素子２の開放端側に配置されている。本実施例においてダミー導体７は正方形であるが、長方形や円形などの他の形状であっても良い。
【００２６】
図４（ｃ）および（ｄ）の配置図は、ＧＮＤ導体１、アンテナ素子２、ダミー導体８を有する。ＧＮＤ導体１は、アンテナ素子２に給電される電圧の基準面となる。ＧＮＤ導体１とアンテナ素子２は、給電点を有するＹ軸上の配線により接続されている。さらにＧＮＤ導体１とアンテナ素子２は、Ｙ軸上の配線に近接する配線により短絡されている。本実施例においてアンテナ素子２は、逆Ｆアンテナを形成している。
【００２７】
図４（ｃ）および（ｄ）において、ＧＮＤ導体１はＸＹ平面上に配置されている。ＧＮＤ導体１は、Ｘ軸方向の辺の長さが７０ｍｍ、Ｙ軸方向の辺の長さが７０ｍｍの正方形である。ここで、図中に記載されているλは、アンテナ素子２の共振時における波長である。アンテナ素子２は、アンテナ部分がＸ軸に平行に、Ｙ軸方向に１０ｍｍ離れた位置に配置されている。アンテナ部分の長さについて、給電点から他方の終端までの長さは６５．５ｍｍであり、短絡線との接続部分から給電点と反対側の終端までの長さは６２ｍｍである。ダミー導体８は、ＸＹ平面上に平行に配置されている。ダミー導体８は、Ｘ軸方向、Ｙ軸方向の辺の長さがそれぞれｌｓの正方形である。ダミー導体８の重心は、Ｘ軸とアンテナ素子２との中間に配置されている。ダミー導体８は、アンテナ素子２の給電点側に配置されている。本実施例においてダミー導体８は正方形であるが、長方形や円形などの他の形状であっても良い。
【００２８】
図５は、アンテナ特性へのダミー導体の影響を示す図である。図５のグラフは、アンテナ素子２のＳパラメータを給電点側から計算した場合の、パラメータＳ１１の特性を示す。
【００２９】
図５のグラフにおいて、横軸は給電点からアンテナ素子２へ入力する信号の周波数を示し、縦軸はアンテナ素子２のＳパラメータのうち、反射損失を示すパラメータＳ１１の大きさを示す。Ｓ１１が小さいほど、アンテナ素子２の反射損失は小さくなる。
【００３０】
本実施例において、アンテナ素子２は、アンテナ特性に影響を与える外部導体が周辺に存在しない場合、１ＧＨｚでＳ１１が最小になるように設計されている。図５のグラフは、図４（ｂ）において、ｌｏ＝８ｍｍ（ｌｏ／λ＝０．０２７）とした場合のアンテナ素子２のＳ１１特性である。図５において、Ｓ１１の最小値を示すマーカーｍ１の位置は、設計時の最小値である１ＧＨｚよりも低い周波数に位置している。つまり図５は、アンテナ素子２のアンテナ特性が、ダミー導体７の影響を受けて変化することを示している。
【００３１】
図５のグラフにおける共振周波数の変化と、図２のグラフにおける共振周波数の変化を比較すると、共振周波数は外部導体またはダミー導体の影響で、逆方向に変化している。外部導体による共振周波数の変化を打ち消すようにダミー導体を追加することが出来れば、外部導体の存在に関わらず、アンテナ素子２を設計通りの共振周波数で動作させることが出来る。
【００３２】
図６は、アンテナ素子と外部導体との距離に対するアンテナ特性の変化を示す図である。図６のグラフにおいて横軸は、図４（ｂ）および（ｄ）におけるダミー導体の辺の長さｌｏ、ｌｓと、アンテナの共振周波数ｆ０における波長λとの比率を示す。縦軸は、外部導体の存在により変化したアンテナの共振周波数ｆ０’と、外部導体が存在しない場合のアンテナの共振周波数ｆ０との比率を示す。
【００３３】
図６において、グラフ９は図４（ｂ）においてダミー導体７のｌｏを変化させたときのアンテナの共振周波数ｆ０’の変化を示す。グラフ９からわかる通り、ダミー導体７がアンテナ素子２の開放端側に存在する場合、ダミー導体７の辺長が長いほど、アンテナの共振周波数ｆ０’は低くなる。
【００３４】
図６において、グラフ１０は図４（ｄ）においてダミー導体８のｌｓを変化させたときのアンテナの共振周波数ｆ０’の変化を示す。グラフ１０からわかる通り、ダミー導体８がアンテナ素子２の給電点側に存在する場合、ダミー導体８の辺長が長いほど、アンテナの共振周波数ｆ０’は高くなる。
【００３５】
したがって、図６のグラフに基づいて、外部導体による共振周波数の変化を打ち消すようにダミー導体を追加する条件を設定すれば、外部導体の存在に関わらず、アンテナ素子２を設計通りの共振周波数で動作させることが出来る。
【００３６】
図７は、アンテナ素子、外部導体、およびダミー導体の配置図である。図７において、外部導体３はアンテナ素子２の給電点側に配置されている。ダミー導体７は、アンテナ素子２の開放端側に配置されている。図７において図１と同じ構成要素には同じ符号を付し、その説明を省略する。図７に示す配置図は例えば、アンテナ素子２のアンテナ特性を計算するためのシミュレータにおいて、解析対象モデルを作成するための三次元ＣＡＤの操作画面である。
【００３７】
前述の通り、アンテナ素子２の給電点側に外部導体３が存在すると、アンテナ素子２の共振周波数は、設計値よりも高くなる。一方、アンテナ素子２の開放端側にダミー導体７が存在すると、アンテナ素子２の共振周波数は、設計値よりも低くなる。したがって、外部導体３によるアンテナ素子２の共振周波数のずれ量を打ち消すようにダミー導体７を設置することにより、アンテナ素子２の共振周波数を設計値通りに補正することが出来る。
【００３８】
図８は、外部導体とダミー導体の設置条件の関係を示す図である。図８において、横軸は外部導体３とアンテナ素子２との距離ｄｓの変化を示す。図８において、λはアンテナ素子２の共振周波数の設計値１ＧＨｚにおける波長を示す。縦軸は、ダミー導体７の辺長ｌｏの変化を示す。図８におけるグラフ１３は、外部導体３の設置によるアンテナ素子２の共振周波数の変化を打ち消すようにダミー導体７を設置するための、距離ｄｓと辺長ｌｏとの関係を示す。
【００３９】
例えば外部導体３の設置距離ｄｓが１ｍｍ（ｄｓ／λ＝０．００３）である場合、グラフ１３のポイント１４に基づき、外部導体３の影響を打ち消すためのダミー導体７の辺長ｌｏは８ｍｍ（ｌｏ／λ＝０．０２７）となる。この辺長ｌｏを有するダミー導体７を設置することにより、アンテナ素子２を設計値通りに動作させることが出来る。
【００４０】
図９は、外部導体およびダミー導体を設置した場合のアンテナ素子の反射特性を示す図である。図８のグラフ１３に基づき、外部導体３によるアンテナの共振周波数のずれ量を打ち消すようにダミー導体７を設置することにより、図９の通りアンテナ素子２の共振周波数を設計値の共振周波数ｆ０＝１ＧＨｚに補正することが出来る。
【００４１】
図１０は、アンテナ素子、外部導体、およびダミー導体の他の配置図である。図１０において、外部導体４はアンテナ素子２の開放端側に配置されている。ダミー導体８は、アンテナ素子２の給電点側に配置されている。図１０において図１と同じ構成要素には同じ符号を付し、その説明を省略する。図１０に示す配置図は例えば、アンテナ素子２のアンテナ特性を計算するためのシミュレータにおいて、解析対象モデルを作成するための三次元ＣＡＤの操作画面である。
【００４２】
前述の通り、アンテナ素子２の開放端側に外部導体４が存在すると、アンテナ素子２の共振周波数は、設計値よりも低くなる。一方、アンテナ素子２の給電点側にダミー導体８が存在すると、アンテナ素子２の共振周波数は、設計値よりも高くなる。したがって、アンテナ素子２の共振周波数に対する外部導体４の影響を打ち消すようにダミー導体８を設置することにより、アンテナ素子２の共振周波数を設計値通りに補正することが出来る。
【００４３】
図１１は、外部導体とダミー導体の他の設置条件の関係を示す図である。図１１において、横軸は外部導体４とアンテナ素子２との距離ｄｏの変化を示す。図１１において、λはアンテナ素子２の共振周波数の設計値１ＧＨｚにおける波長を示す。縦軸は、ダミー導体８の辺長ｌｓの変化を示す。図１１におけるグラフ１５は、外部導体４の設置によるアンテナ素子２の共振周波数の変化を打ち消すようにダミー導体８を設置するための、距離ｄｏと辺長ｌｓとの関係を示す。
【００４４】
例えば外部導体４の設置距離ｄｏが２ｍｍ（ｄｓ／λ＝０．００７）である場合、グラフ１５のポイント１６に基づき、外部導体４の影響を打ち消すためのダミー導体８の辺長ｌｓは８ｍｍ（ｌｏ／λ＝０．０２７）となる。この辺長ｌｓを有するダミー導体８を設置することにより、アンテナ素子２を設計値通りに動作させることが出来る。
【００４５】
図１２は、外部導体およびダミー導体を設置した場合のアンテナ素子の他の反射特性を示す図である。図１１のグラフ１５に基づき、外部導体４によるアンテナ特性への影響を打ち消すようにダミー導体８を設置することにより、図１２の通りアンテナ素子２の共振周波数を設計値の共振周波数ｆ０＝１ＧＨｚに補正することが出来る。
【００４６】
図１３は、アンテナ素子に対しダミー導体を設置する方法を示す図である。図１３（ａ）は、ダミー導体を設置するためのフィルムを示す配置図である。図１３（ｂ）は、アンテナ素子を有する基板上のフィルム設置位置を示す配置図である。図１３（ｃ）は、ダミー導体設置後のアンテナ装置を示す配置図である。
【００４７】
図１３（ａ）における配置図は、フィルム１７は、マーカー１８ａおよび１８ｂ（以後、マーカー１８とする）、ダミー導体パターン１９を有する。フィルム１７は、例えばプラスチックフィルムであり、基板への装着作業容易性を考慮すると、透明または半透明であることが望ましい。またフィルム１７は、基板への装着作業を考慮し、基板との接着面に粘着物をあらかじめ塗布した粘着フィルムであってもよい。マーカー１８は、基板にフィルム１７を貼付する際の位置合わせ用の目印である。本実施例においてマーカー１８の形状は円形であるが、四角形、星形等であってもよい。ダミー導体パターン１９は、例えばフィルム１７に対しアルミニウム、銅などの金属を蒸着させた金属パターンである。ここで蒸着とは、金属を更新空中で加熱・蒸発させ、その蒸気を冷却されたフィルム表面に凝結結晶させ、薄膜を形成するものである。
【００４８】
本実施例は、ダミー導体をアンテナ素子２の開放端側に設置する場合について説明する。マーカー１８の位置およびダミー導体パターン１９の大きさは、図８のグラフ１３に基づき、外部導体の影響を打ち消すように設定する。
【００４９】
図１３（ｂ）における配置図は、ＧＮＤ導体１、アンテナ素子２、マーカー２０ａおよび２０ｂ（以後、マーカー２０とする）を有する。図１３（ｂ）において、図１と共通の対象には同じ符号を付し、その説明を省略する。マーカー２０の位置は、マーカー１８と同様に、図８のグラフ１３に基づき、外部導体の影響を打ち消すように設定する。
【００５０】
図１３（ｃ）における配置図は、フィルム１７におけるマーカー１８と、ＧＮＤ導体１におけるマーカー２０との位置が一致するように貼付したものである。図１３（ｃ）に示す通り、マーカー１８とマーカー２０との位置が一致するように貼付することで、他社ベンダから購入したアンテナ装置が外部導体の影響により仕様通りの特性を発揮できない場合であっても、マーカーによる位置合わせが可能なフィルムを貼付することにより、外部導体の影響を打ち消すようにダミー導体を設置することが出来る。
【００５１】
図１４は、アンテナ設計装置のハードウェア構成図である。アンテナ設計装置３０は、アンテナ装置のアンテナ特性を計算するためのアンテナ設計プログラムを動作させる。アンテナ設計装置３０は、一般的に使用されるパーソナルコンピューターであっても良い。アンテナ設計装置３０は、ディスプレイ３３、キーボード３４、Ｉ／Ｆ（ＩｎｔｅｒＦａｃｅ）３５、ＣＰＵ（Ｃｅｎｔｒａｌ  Ｐｒｏｃｅｓｓｉｎｇ  Ｕｎｉｔ）３１、メモリ３２、バス３６を有する。ディスプレイ３３は、解析対象モデルを作成するための三次元ＣＡＤの操作画面などを表示するための表示装置である。キーボード３４は、ユーザがアンテナ設計装置３０に対し外部から操作するための入力装置である。Ｉ／Ｆ３５は、アンテナ設計装置３０と外部装置とを接続するための外部接続装置である。ＣＰＵ３１は、メモリ３２に記録されたアンテナ設計プログラムを読出し、実行することにより、アンテナ設計処理を実現する演算装置である。メモリ３２は、アンテナ設計プログラムおよびＣＰＵ３１によりプログラムを実行した結果、発生したデータなどを記憶する記憶装置である。メモリ３２は、フラッシュメモリ等の不揮発メモリであってもよいし、ＲＡＭ（Ｒａｎｄｏｍ  Ａｃｃｅｓｓ  Ｍｅｍｏｒｙ）などの揮発性メモリであってもよい。メモリ３２は、ＣＰＵ３１が実行するプログラムを一時的に記憶してもよい。記憶装置として、メモリ３２の他に、ＨＤＤ（Ｈａｒｄ  Ｄｉｓｋ  Ｄｒｉｖｅ）などの他の記憶装置を用いても良い。ディスプレイ３３、キーボード３４、Ｉ／Ｆ３５、ＣＰＵ３１、メモリ３２は、バス３６により互いに電気的に接続されている。
【００５２】
図１５は、アンテナ装置の設計プログラムの処理フローである。処理フローによる各ステップは、アンテナ設計装置３０がメモリ３２に記憶された設計プログラムをＣＰＵ３１により実行することにより実現する。
【００５３】
アンテナ設計装置３０は、ユーザーの要求に基づき、ＧＮＤ導体１、アンテナ素子２および外部導体３または４を設定する（ステップＳ１）。アンテナ設計装置３０は、設定されたアンテナ素子２および外部導体３または４の位置に基づき、アンテナ素子２と外部導体３または４との距離を算出する。アンテナ設計装置３０は、外部導体３または４の設定位置に基づき、ダミー導体７または８の設定方向をアンテナ素子２の給電点側または開放端側に確定する（ステップＳ２）。アンテナ設計装置３０は、外部導体３または４の設置位置から読み取ったアンテナ素子２と外部導体３または４との距離、および確定したダミー導体７または８の設置方向に基づき、補正テーブル４０を参照する（ステップＳ３）。
【００５４】
アンテナ設計装置３０は、参照した補正テーブル４０に基づき、外部導体３または４のアンテナ特性への影響を打ち消すための、ダミー導体７または８とアンテナ素子２との距離、すなわちダミー導体７または８のサイズを計算する（ステップＳ４）。アンテナ設計装置３０は、計算したサイズのダミー導体７または８を確定した設定方向に設置する（ステップＳ５）。
【００５５】
以上の通りアンテナ設計装置３０は、設定されたＧＮＤ導体、アンテナ素子および外部導体に基づき、アンテナ特性が設計通りの特性となるようにダミー導体を設置する条件を設定することが出来る。
【符号の説明】
【００５６】
１：ＧＮＤ導体
２：アンテナ素子
３，４：外部導体
７，８：ダミー導体
１７：フィルム
１９：ダミー導体パターン
３０：アンテナ設計装置
【図１】
2019110496.tif 000003
【図２】
2019110496.tif 000004
【図３】
2019110496.tif 000005
【図４】
2019110496.tif 000006
【図５】
2019110496.tif 000007
【図６】
2019110496.tif 000008
【図７】
2019110496.tif 000009
【図８】
2019110496.tif 000010
【図９】
2019110496.tif 000011
【図１０】
2019110496.tif 000012
【図１１】
2019110496.tif 000013
【図１２】
2019110496.tif 000014
【図１３】
2019110496.tif 000015
【図１４】
2019110496.tif 000016
【図１５】
2019110496.tif 000017